(57)【特許請求の範囲】
【請求項１】
撮影した画像の画像データと対応させて前記画像の撮影時の撮影条件情報及び画像処理条件情報を記憶する条件情報記憶手段と、
予め撮影条件及び画像処理条件情報を利用するときの撮影モードにおいて、撮影した画像の画像データに基く再生画像を表示する表示手段と、
前記表示手段に表示された再生画像を選択する選択手段と、
前記選択手段に選択された再生画像の画像データと対応させて記憶された前記撮影条件情報及び画像処理条件情報を読み出し、該撮影条件情報及び画像処理条件情報に基いてデジタル撮影装置の撮影条件の設定及び画像処理の設定を行う条件設定手段と、
を備えたデジタル撮影装置。
【請求項２】
前記撮影条件情報は、ズーム位置、感度、及びストロボ発行情報の少なくとも１つを含み、
前記画像処理条件情報は、圧縮率、階調、シャープネス、及び画素数の少なくとも１つを含むことを特徴とする請求項１に記載のデジタル撮影装置。
【請求項３】
前記条件情報記憶手段から、前記画像データを削除することにより、当該画像データに対応する撮影条件情報及び画像処理条件情報も削除される請求項１又は請求項２に記載のデジタル撮影装置。
【請求項４】
前記条件情報記憶手段から、前記画像データ、並びにこれに対応する撮影条件情報及び画像処理条件情報を削除することで、前記条件情報記憶手段は、撮影者によりうまく撮影できたと判断される画像データと、これに対応する撮影条件情報及び画像処理条件情報を記憶することを特徴とする請求項１〜請求項３のいずれか１項記載のデジタル撮影装置。
【発明の詳細な説明】
【０００１】
【発明の属する技術分野】
本発明は、デジタル撮影装置に係り、特に、ズーム位置、感度、及びストロボ発行情報等の各種撮影条件、及び圧縮率、階調、シャープネス、及び画素数等の各種画像処理条件を電気的に制御して撮影を行う電子スチルカメラ等のデジタル撮影装置に関する。
【０００２】
【従来の技術】
従来より、デジタル撮影装置(以下、電子スチルカメラと称す。)にＬＣＤ等から構成したモニタ画面を設けることは一般的となっている。このモニタ画面には、撮影によりメモリに記憶された画像データに基づく再生画像を表示して撮影者が撮影した画像を確認したり、カメラの撮影モードなどの各種情報を表示して、カメラの設定を行うことを容易に行えるように構成されている。
【０００３】
【発明が解決しようとする課題】
例えば、列車や機関車などの撮影時では、似たような撮影チャンスが複数存在することが予測される。デジタルカメラでは、撮影者がモニタ画面に表示された画像をチェックして、うまく撮影できたかを判断することができるため、うまく撮影できたと判断された撮影条件(例えば、シャッタースピード、絞り値、ホワイトバランス、焦点距離(ピント)等の組合わせ、ストロボの有無、及びズーム位置)と画像処理条件（例えば、圧縮率、階調、シャープネス強調、及び画素数等）との組合わせと同じ条件でその他の撮影チャンスでの撮影も行いたいという要望がある。
【０００４】
従来より、撮影条件を記憶する技術については、特開平６−３０３１２号公報、特開平６−３０８３９４号公報、特開平７−２８２２１５９号公報、及び、特開平９−２３３４２０号公報等に提案されている。
【０００５】
特開平６−３０３１２号公報には、前回の撮影条件を一時的にストアして、簡単な確認を行えるようにした技術である。これは、例えば、デジタルカメラの所有者が他人に撮影を依頼したときやセルフタイマーでの撮影時などにおいて、撮影直後に確認するための技術である。この技術では、前回の撮影条件のみを記憶するため、必要なメモリ容量が最小限で済み、構成の簡略化、コスト低減効果が得られるものである。
【０００６】
また、特開平６−３０８３９４号公報は、フィルム記録式の顕微鏡写真撮影システムにおいて、撮影時の撮影条件を画像を記録するフィルムとは別の情報記録媒体に記録しておく技術であり、特開平７−２８２２１５９号公報は、医療用画像診断装置において、例えば、Ｘ線ＣＴスキャナを使って医療用撮影を行う場合などのように経時変化が見こまれる特定の撮影対象を撮影したときの撮影条件を情報記録媒体に記録しておき、次に同じ撮影条件で前記撮影対象を撮影出来るようにした技術である。
【０００７】
さらに、特開平９−２３３４２０号公報等は、デジタルカメラ等の撮影装置で撮影した画像の画像データと共に撮影条件を記憶し、他の撮影装置に有線または無線で通信する技術が開示されている。これは、コンピュータなどの情報処理装置を介さずに、撮影装置で撮影した画像の撮影条件を他の撮影装置に複製することができるという技術である。
【０００８】
しかしながら、これらの技術においては、例えば、シャッタースピード、絞り値、ホワイトバランス、焦点距離(ピント)、ストロボの有無、及びズーム位置) 等の撮影条件と、例えば、圧縮率、階調、シャープネス強調、及び画素数等の画像処理条件との組合わせた条件が、前回の撮影と同じ又は前回の撮影よりも前の回の撮影と同じに設定することは出来ない。
【０００９】
特開平７−１８４１５４号公報には、以前に撮影したときの撮影情報及び画像情報を記録する記録媒体に記録された画像情報を参照して撮影情報を選択し、該選択された撮影情報を画像記録再生装置に設定する撮影条件設定手段を備えた情報取り扱い装置が提案されている。
【００１０】
しかしながら、この情報取り扱い装置も撮影条件のみを参照して画像記録再生装置に設定する構成であるため、撮影条件と画像処理条件との組合わせ条件を前回の撮影と同じ又は前回の撮影よりも前の回の撮影と同じに設定することは出来ない。
【００１１】
そのため、撮影条件と画像処理条件との組合わせた条件を、前回と同じ又は前回よりも前の回の撮影と同じに設定するためには、撮影者が各種撮影条件及び画像処理条件を記憶しておき、次の撮影時に記憶した各種撮影条件及び画像処理条件となるように手動でデジタルカメラを設定しなければならない。特に、焦点距離(ピント)やズーム位置等は、手動で前回と全く同じ設定にするのは困難である。
【００１２】
以上のことから本発明は、以前に撮影した撮影条件及び画像処理条件と同じ条件に容易に設定することが出来るデジタル撮影装置を提供することを目的とする。
【００１３】
【課題を解決するための手段】
上記目的を達成すべく、請求項１に記載のデジタル撮影装置は、撮影した画像の画像データと対応させて前記画像の撮影時の撮影条件情報及び画像処理条件情報を記憶する条件情報記憶手段と、予め撮影条件及び画像処理条件情報を利用するときの撮影モードにおいて、撮影した画像の画像データに基く再生画像を表示する表示手段と、前記表示手段に表示された再生画像を選択する選択手段と、前記選択手段に選択された再生画像の画像データと対応させて記憶された前記撮影条件情報及び画像処理条件情報を読み出し、該撮影条件情報及び画像処理条件情報に基いてデジタル撮影装置の撮影条件の設定及び画像処理の設定を行う条件設定手段と、を備えている。
【００１４】
本発明では、条件情報記憶手段が撮影した画像の画像データと対応させて前記画像の撮影条件情報及び画像処理条件情報を記憶し、前記表示手段に表示された再生画像が前記選択手段により選択されると、前記条件設定手段が、選択された再生画像の画像データと対応して記憶された前記撮影条件情報及び画像処理条件情報を読み出し、読み出した撮影条件情報及び画像処理条件情報に基いてデジタル撮影装置の撮影条件を設定する。
【００１５】
このように、本発明のデジタル撮影装置は、選択された画像と同じ撮影条件及び画像処理条件情報となるように次の撮影の撮影条件及び画像処理条件情報を設定することが出来る。そのため、以前に撮影した画像の中から、撮影者によりうまく撮影できたと判断された画像と同じ撮影条件及び画像処理条件情報で、次の撮影の撮影条件及び画像処理条件情報を設定することが容易にできる。
【００１６】
また、本発明の前記撮影条件情報としては、例えば、シャッタースピード、絞り値（絞りの開口量）、ホワイトバランス、ストロボの有無、焦点距離(ピント位置)、感度、及びズーム位置(画角)などのように、撮影時にデジタル撮影装置に設定する各種条件であればよいが、好ましくは、ストロボの有無、感度、及びズーム位置(画角)の少なくとも１つを含むようにするとよい。また、本発明の前記画像処理条件情報としては、好ましくは、圧縮率、階調、シャープネス、及び画素数の少なくとも１つを含むようにするとよい。
また、本発明は、前記条件情報記憶手段から、前記画像データを削除することにより、当該画像データに対応する撮影条件情報及び画像処理条件情報も削除される。
さらに、前記条件情報記憶手段から、前記画像データ、並びにこれに対応する撮影条件情報及び画像処理条件情報を削除することで、前記条件情報記憶手段は、撮影者によりうまく撮影できたと判断される画像データと、これに対応する撮影条件情報及び画像処理条件情報を記憶することを特徴としている。
【００１７】
【発明の実施の形態】
以下、図面を参照して本発明の実施の形態を詳細に説明する。本発明が適用されたデジタルカメラ１０は、図１（Ａ）に示すように、本体１１が略箱型であり、本体１１の正面側には、レンズユニット１４、撮影範囲等を目視で確認するためのファインダ１５、低照度での撮影等の場合に補助光を発するためのストロボ１６が取付けられている。
【００１８】
また、本体１１の正面から見て右側の側面には、スマートメディアなどの情報記憶媒体としてのメモリーカード１８を装填可能なスロット２３が設けられており、本体１１の上面には、正面から見て左側にモードダイヤル４７、及び電源スイッチ２１が設けられ、モードダイヤル４７の中央部がシャッタボタン１２となっている。
【００１９】
モードダイヤル４７は、デジタルカメラの動作モードを選択するダイヤルであり、例えば、オート撮影モード、マニュアル撮影モード、セルフタイマー撮影モード、再生モード、パソコンに接続して画像を出力するＰＣモード及び各種機能の初期条件を設定するセットアップ項目設定モードのうちのいずれか１つを選択する。
【００２０】
また、図１（Ｂ）に示すように、本体１１の背面の下方側には、反射型ＬＣＤ又は透過型表ＬＣＤから成るカラーのディスプレイ４６が取付けられており、ディスプレイ４６の上方側には、モノクロの液晶表示パネル１３、ストロボボタン１７、十字ボタン１９、及びメニュー実行ボタン２５等の各種選択ボタンが設けられている。
【００２１】
ディスプレイ４６は、画面サイズが、例えば、６４０×４８０ピクセル程度の液晶表示パネルより構成されており、画像表示指示がある場合に、後述するメモリ４２に保存された画像データやメモリーカード１８から読み出した画像データに基づいて画像を画面全体に表示したり、複数の縮小画像を並べて表示（以下、サムネイル表示と称す。）したり、各種機能選択画面を表示する。液晶表示パネル１３は、動作モード、画質、バッテリー量、ストロボの発光／非発光、撮影可能枚数等デジタルカメラの現在の設定を表示する。なお、ディスプレイ４６は本発明の表示手段に相当する。
【００２２】
十字ボタン１９は、ディスプレイ４６が各種項目選択画面のときにディスプレイ４６に表示されたボタンを選択したり、カーソルを動かすためのボタンである。また、ストロボボタン１７はストロボを強制発光するときに強制発光指示を出したり、ストロボを発光禁止するときに発光禁止指示を出すボタンであり、メニュー実行ボタン２５は、ディスプレイ４６に表示されて十字ボタン１９で選択された項目の実行指示を出すボタンである。なお、十字ボタン１９は本発明の選択手段に相当する。
【００２３】
また、図２にデジタルカメラ１０の電気系の構成を示す。レンズユニット１４は、詳しくはステッピングモータ等の駆動源の駆動力により焦点位置を変更可能な機構（オートフォーカス（ＡＦ）機構）を備えたズームレンズ機構（焦点距離可変レンズ）であり、レンズユニット１４のＡＦ機構及びズーム機構は駆動回路２４によって駆動される。なおズームレンズ機構に代えて、ＡＦ機構のみを備えた焦点距離固定レンズを用いてもよい。
【００２４】
本体１１内部のレンズユニット１４の焦点位置に相当する位置には、エリアＣＣＤから成り電子シャッタ機構が設けられた撮像デバイス３０が配置されており、被写体から反射してレンズユニット１４に入射された光が撮像デバイス３０の受光面に結像されるようになっている。
【００２５】
撮像デバイス３０は、露光制御値に応じて入射する光の光量に対応した電荷を蓄積し、蓄積された電荷、すなわち画像信号を、図示しない増幅器を介してアナログ信号処理部３６に出力する。
【００２６】
アナログ信号処理部３６は、入力された画像信号に所定のアナログ信号処理（例えばノイズ低減処理）を施し、Ａ／Ｄ変換部３８へ出力する。Ａ／Ｄ変換部３８は、入力されたアナログ信号をデジタル信号に変換してデジタル信号処理部４０に出力する。
【００２７】
デジタル信号処理部４０は、入力されたデジタル信号に、例えば、階調処理、シャープネス強調処理、画素数の調整処理、及びシェーディング補正処理等の所定のデジタル信号処理を施して、画像データとしてバス７０を介してメモリ４２に出力する。このときの、例えば、階調、シャープネス強調度合、画素数などは画像処理条件情報としてメモリ４２に一旦保存される。
【００２８】
また、デジタル信号処理部４０は、外部機器が図示しないビデオ出力端子に接続されている場合はビデオ信号を出力する。また、デジタル信号処理部４０は、制御部２２からサムネイル表示指示が出されると、メモリ４２に記憶された複数の画像データの各々に関連して記憶されている複数のサムネイル画像をディスプレイ４６に表示させる。
【００２９】
メモリ４２には、デジタル信号処理部４０から出力された画像データ及び各種撮影条件が一旦保存される(詳細は後述)。また、メモリ４２は、フロッピーディスク（ＦＤ）、ＰＣカード、ＭＯ、ＨｉＦＤ（商品名；富士写真フイルム株式会社製）、光磁気ディスク及びスマートメディアなどのメモリーカード１８に書き込み指示があれば、保存した画像データ及び各種撮影条件を出力する。メモリ４２から出力された画像データは、圧縮伸張部４４により圧縮された後、メモリーカードドライブ２０により外部インターフェース(以下、外部Ｉ／Ｆと称す。)４３を介して書き込まれる。このときの圧縮率は、画像処理条件情報としてメモリ４２に一旦保存される。
【００３０】
なお、メモリ４２から出力された画像データを、圧縮伸張部４４で圧縮せずに書き込むようにも設定できる。この外部Ｉ／Ｆ４３にはデジタルＩＯポート３１が設けられており、画像データをデジタルＩＯポート３１に接続された他の機器にも出力できるように構成している。
【００３１】
また、メモリーカード１８に記憶されている画像データによる画像の再生（表示）が指示された場合には、メモリーカード１８から画像データを読み出してメモリ４２に記憶した後、画像データをデジタル信号処理部４０が図示しない液晶駆動回路に転送してディスプレイ４６に画像を表示（再生）させる。なお、読み出された画像データが圧縮されて記憶されていた場合には、被圧縮画像データは圧縮伸張部４４で伸張（解凍）した後にメモリ４２に記憶する。
【００３２】
メモリ４２は、データバスを介してデジタル信号処理部４０から出力された画像データを保存する。このとき、メモリーカード１８に書き込み指示があれば、記憶した画像データを圧縮伸張部４４で圧縮して外部インターフェース（外部Ｉ／Ｆ）４３を介して書き込む。なお、圧縮伸張部４４で圧縮せずに書き込むようにも設定できる。なお、外部Ｉ／Ｆ４３にはデジタルＩＯポート３１が設けられており、画像データをデジタルＩＯポート３１に接続された他の機器にも出力できるように構成されている。
【００３３】
スロット２３に装填されたメモリーカード１８に格納されている画像データによる画像の再生（表示）が指示された場合には、メモリーカード１８から画像データが読み出される。このとき、撮影条件を読み出む指示が有れば、画像データと関連して記憶された撮影条件データ（撮影条件情報）、例えば、画像データがＪＰＥＧ形式のファイルの場合は、タグに書き込まれた撮影条件を画像データと共に読み出して一旦メモリ４２又は後述する制御部のＲＡＭ２２ｃに記憶する。なお、詳細は後述する。
【００３４】
また、メモリーカード１８から読み出された画像データが圧縮されて格納されていた場合には、被圧縮画像データは圧縮伸張部４４で伸張（解凍）された後にメモリ４２に記憶される。そして、メモリ４２に記憶された画像データをデジタル信号処理部４０が図示しない液晶駆動回路に転送してディスプレイ４６に画像を表示（再生）させる。
【００３５】
制御部２２は、ＣＰＵ２２ａ、ＲＯＭ２２ｂ及びＲＡＭ２２ｃとから構成され、バス７０を介して、シャッタボタン１２、メモリーカードドライブ２０、駆動回路２４、メニュー実行ボタン２５、測距部３２、測光部３４、メモリ４２、圧縮伸張部４４、ディスプレイ４６、モードダイヤル４７、及び外部Ｉ／Ｆ４３等のデジタルカメラ１０の各種部品と電気的に接続されている。なお、制御部２２は、本発明の条件情報記憶手段及び条件設定手段に相当する。
【００３６】
ＲＯＭ２２ｂには、制御部２２に接続された上述の各種構成要素を制御する制御プログラム、及び、画像データと共に記憶された撮影条件を読み出して次の撮影の撮影条件とする条件設定プログラムが記憶されている。なお、条件設定プログラムについては、後述する。ＲＡＭ２２ｃには、バス７０を介して入力される前記各プログラムに必要な各種データが記憶される。
【００３７】
また、バス７０を介して制御部２２と接続する駆動回路２４には、レンズユニット１４、ストロボ１６、シャッタ２６、絞り２８、及び、撮像デバイス３０が接続されている。撮像デバイス３０は、例えば、ＣＣＤ等の撮像素子を含んで構成される。
【００３８】
電源スイッチ２１がオンに切り換えられ電源がオフからオンになると、ＣＰＵ２２ａは、ＲＯＭ２２ｂから制御プログラムを読み出して、各種構成要素の初期設定処理を行う。
【００３９】
また、ＣＰＵ２２ａは、測光部３４で測定された測光値に基づいて露光制御値、例えば、感度、絞り値（絞りの開口量）やシャッタスピード、ストロボ１６により発光させるか否か等を定めて駆動回路２４へ出力する。そして、シャッタボタン１２が押下されると、駆動回路２４は、露光制御値に基づいてシャッタ２６や絞り２８、ストロボ１６、撮像デバイス３０を駆動させ、レンズユニット１４を透過した被写体像を撮影する。
【００４０】
ここで、ＣＰＵ２２ａによる条件設定プログラムに基く条件設定処理について図３のフローチャートを参照して説明する。なお、ここでは、画像データは、ＪＰＥＧ形式のファイルとし、撮影条件はＪＰＥＧ形式のファイルのタグの部分に記憶される。
【００４１】
まず、ステップ１００では、撮影モードであるかを判断する。ステップ１００において撮影モードであると判断されると、ステップ１０２に移行し、条件選択モードかを判断する。この条件選択モードは、本実施形態では、例えば、シャッタースピード、絞り値（絞りの開口量）、ホワイトバランス、ストロボの有無、焦点距離(ピント位置)、及びズーム位置(画角)等のデジタルカメラ１０の撮影条件及び、例えば、圧縮率、階調、シャープネス強調、及び画素数などの画像処理条件情報を、以前に撮影した他の画像の条件と合致するようにＣＰＵ２２ａにより設定するモードである。
【００４２】
ステップ１０２において、条件選択モードであると判断されると、ステップ１０４に移行し、条件選択モードでないと判断されると、ステップ１１８に移行する。
【００４３】
ステップ１０４では、ディスプレイ４６にメモリーカード１８に記憶された画像データを読み出して、画像データに含まれるサムネイル画像用表示データに基いてディスプレイ４６にサムネイル画像を表示する。このとき、ディスプレイ４６に複数のサムネイル画像を表示するようにしてもよいし、１つのサムネイル画像を表示するようにしてもよい。好ましくは、１つのサムネイル画像を表示するモードと複数のサムネイル画像を表示するモードとを換える表示切換え部を設けるとよい。
【００４４】
ディスプレイ４６に表示されたサムネイル画像は十字ボタン１９により選択可能に構成されており、次のステップ１０６では、十字ボタン１９により特定のサムネイル画像が選択されたかを判断し、選択された場合は、ステップ１０８に移行してサムネイル画像と共に記憶された撮影条件及び画像処理条件を読み出して、デジタルカメラ１０の撮影状態を読み出した撮影条件及び画像処理条件となるように、読み出した撮影条件及び画像処理条件に基いて各種部品を制御し、ステップ１１０に移行する。
【００４５】
なお、本実施の形態では、サムネイル画像と共に記憶される撮影条件を、例えば、シャッタースピード、絞り値（絞りの開口量）、ホワイトバランス、ストロボの有無、焦点距離(ピント位置)、感度及びズーム位置(画角)等の全てが含まれる条件とする。もちろん、これらのうち、感度及びズーム位置(画角)及びストロボの有無の少なくとも１つが含まれる条件としてもよい。また、画像処理条件を圧縮率、階調、シャープネス強調、及び画素数の全てが含まれる条件とする。もちろん、これらのうちの少なくとも１つが含まれる条件としてもよい。なお、ズーム機構を有していないデジタルカメラの場合は、画像データにズーム位置の情報が記載されていても読み出さないように構成するとよい。
【００４６】
一方、ステップ１０２で、条件選択モードではないと判断されると、ステップ１１６に移行する。ステップ１１８では、上述した撮影条件を、測距部や測光部などのカメラ内蔵の測定系の測定結果に基いて撮影者の所望の設定にＣＰＵ２２ａが調整、または手動で調整された後に、ステップ１１０に移行する。
【００４７】
ステップ１１０では、シャッタボタン１２が押圧されたかを判断し、押圧されたと判断された場合は、ステップ１１２に移行して撮影処理を行う。なお、撮影処理については、周知であるのでここでは詳細な説明は省略する。
【００４８】
次のステップ１１４では撮影処理により生成されたＪＰＥＧ形式の画像データを一旦メモリ４２に記憶する。このとき、ＣＰＵ２２ａは撮影処理時の撮影条件及び画像処理条件を、生成されたＪＰＥＧ形式の画像データのタグに記憶する。なお、ここでは、画像データのタグに撮影処理時の撮影条件及び画像処理条件を記憶しているが、画像データとは別の領域に、画像データと関連付けて記憶するように構成することも出来る。また、撮影条件のデータは画像データに比べると、極端に少ないので、記憶可能な画像の枚数が少なくなることはない。
【００４９】
次のステップ１１６では、撮影が終了したかを判断する。この判断は、撮影モードから画像再生モードに切り換えられた時点、電源がオフとなった時点で撮影終了と判断する。撮影が終了していないと判断された場合はステップ１０２に戻り、上述した処理を繰り返す。また、撮影が終了したと判断された場合は本ルーチンを終了する。
【００５０】
なお、本実施の形態では、画像データがＪＰＥＧ形式のファイルの場合について説明したが、本発明はＪＰＥＧ形式のファイルに限らず、ＴＩＦＦ形式のファイル、ＢＭＰ形式のファイル、ＴＧＡ形式のファイル、ＧＩＦＦ形式のファイル、ＰＩＣＴ形式のファイル、Ｐｉｘａｒ形式のファイル、及び、ＥＰＳＦ形式のファイル等種々の画像ファイルに適用することが出来る。
【００５１】
また、カメラの撮影条件及び画像処理条件を一度撮影した条件と全く同じ条件に設定することが出来るので、同一の撮影対象に対する例えば、朝日、昼日、夕日などの光線状態の変化を検出することも可能となる。
【００５２】
【発明の効果】
以上説明したように本発明によれば、デジタル撮影装置を以前に撮影した撮影条件及び画像処理条件と同じ条件に容易に設定することが出来る、という効果がある。
【図面の簡単な説明】
【図１】図１（Ａ）は本発明の実施の形態のデジタルカメラの正面側の外観を示す斜視図であり、図１（Ｂ）は図１（Ａ）に示したデジタルカメラの裏面側の外観を示す斜視図である。
【図２】本実施の形態のデジタルカメラの電気ブロック図である。
【図３】図２における制御部のＣＰＵ２２ａによる条件設定プログラムに基く条件設定処理の制御ルーチンである。
【符号の説明】
１０  デジタルカメラ
１１  本体
１２  シャッタボタン
１３  液晶表示パネル
１４  レンズユニット
１５  ファインダ
１６  ストロボ
１７  ストロボボタン
１８  メモリーカード
１９  十字ボタン（選択手段）
２０  メモリーカードドライブ
２１  電源スイッチ
２２  制御部(条件情報記憶手段；条件設定手段)
２２ａ    ＣＰＵ
２２ｂ    ＲＯＭ
２２ｃ    ＲＡＭ
２３  スロット
２４  駆動回路
２５  メニュー実行ボタン
２６  シャッタ
３０  撮像デバイス
３１  ポート
３２  測距部
３４  測光部
３６  アナログ信号処理部
３８  Ａ／Ｄ変換部
４０  デジタル信号処理部
４２  メモリ
４３  外部インターフェイス
４４  圧縮伸張部
４６  ディスプレイ（表示手段）
４７  モードダイヤル
７０  バス
【図１】
0004445657.tif 000002
【図２】
0004445657.tif 000003
【図３】
0004445657.tif 000004